(57)【要約】【課題】カメラグリップの内部に回転及びロック機構を有するため、カメラグリップにバッテリを内蔵する構成をとる際、回転及びロック機構とバッテリの厚みによってカメラグリップが大型化してしまう。【解決手段】係合部材とバネ部材は、くびれ形状の内部に配置されている。このように回転機構とロック機構の一部をカメラグリップの外部に設けることによってカメラグリップの薄型化が可能であり、カメラグリップの内部にバッテリを内蔵する構成をとる際、カメラグリップが大型化してしまう問題がない。【選択図】図４
2019168567.tif 000002
【特許請求の範囲】
【請求項１】
レンズを備えたカメラ本体と、前記カメラ本体に対して複数の回転角度で固定可能であり着脱不可能に設けられたカメラグリップと、前記カメラグリップの回転動作に摺動荷重を与える弾性部材と、前記カメラグリップを所定の回転角度でロックする第１の位置と前記カメラグリップのロックを解除する第２の位置との間で前記カメラグリップの回転軸と平行方向に直線運動をするロック部材と前記ロック部材に係合可能な複数の係合形状を有する係合部材と、前記カメラグリップに配置され、前記ロック部材を前記第１の位置と前記第２の位置に移動させる操作が可能な操作ノブと、前記カメラ本体と前記カメラグリップを繋ぐくびれ形状を備えた撮像装置であって、
前記くびれ形状の内部に前記係合部材と前記弾性部材を配置することを特徴とする撮像装置。
【請求項２】
前記カメラグリップの内部に固定配置されたグリップシャーシと、前記グリップシャーシに固定配置された円柱部材、と前記係合部材に固定配置され前記グリップシャーシを回転可能に保持する回転体とを備え、前記ロック部材は、前記円柱部材と前記回転体との摺接により直線運動をすることを特徴とする請求項１に記載の撮像装置。
【請求項３】
前記ロック部材は段差部を有し、前記ロック部材が第２の位置において、前記段差部が前記回転体と摺接しないことを特徴とする請求項１または２に記載の撮像装置。
【請求項４】
前記係合部材は前記カメラグリップの回転軸を中心に円弧形状に外周が形成され、前記円弧形状の外周の一部に平面部が形成され、前記係合部材の複数の係合形状は前記平面部を除き円周近傍で円周に沿って形成され、前記くびれ形状の外周の一部に平面部が形成され、前記くびれ形状の平面部は前記係合部材の平面部を覆うように配置され、カメラグリップ把持状態において使用者の手の指先と当接する当接面となることを特徴とする請求項１乃至３のいずれか１項に記載の撮像装置。
【請求項５】
前記カメラグリップの内部には立方体のバッテリが配置され、前記バッテリの幅・奥行き・高さのうち１辺は、前記くびれ形状の平面部と平行に配置され、前記カメラ本体に対して前記カメラグリップの所定の回転角度が、前記くびれ形状の平面部と前記レンズの光軸が垂直となる状態において、
前記バッテリの中心は前記カメラグリップの回転軸よりもレンズ側の位置に配置され、前記バッテリの一辺は前記くびれ形状の平面部よりもレンズ側の位置に配置されていることを特徴とする請求項１乃至４のいずれか１項に記載の撮像装置。
【発明の詳細な説明】
【技術分野】
【０００１】
本発明は、例えばデジタルカメラやデジタルビデオカメラ等の撮像装置に関する。
【背景技術】
【０００２】
従来より特許文献１のように、カメラグリップを回転可能及び、回動角を所定角度ごとに固定可能に構成した回転及びロック機構を有するデジタルビデオカメラが提案されている。
【先行技術文献】
【特許文献】
【０００３】
【特許文献１】特開２０１５−１７９９４１号
【発明の概要】
【発明が解決しようとする課題】
【０００４】
しかしながら、上記従来例ではカメラグリップの内部に回転及びロック機構を有するため、カメラグリップにバッテリを内蔵する構成をとる際、回転及びロック機構とバッテリの厚みによってカメラグリップが大型化してしまう問題があった。また、回転及びロック機構の部品点数が増加することによってカメラグリップが大型化してしまう問題があった。また、カメラグリップの大型化によってグリップがしづらいという問題があった。
【課題を解決するための手段】
【０００５】
本発明の撮像装置はレンズを備えたカメラ本体と、前記カメラ本体に対して複数の回転角度で固定可能であり着脱不可能に設けられたカメラグリップと、前記カメラグリップの回転動作に摺動荷重を与える弾性部材と、前記カメラグリップを所定の回転角度でロックする第１の位置と前記カメラグリップのロックを解除する第２の位置との間で前記カメラグリップの回転軸と平行方向に直線運動をするロック部材と前記ロック部材に係合可能な複数の係合形状を有する係合部材と、前記カメラグリップに配置され、前記ロック部材を前記第１の位置と前記第２の位置に移動させる操作が可能な操作ノブと、前記カメラ本体と前記カメラグリップを繋ぐくびれ形状を備えた撮像装置であって、前記くびれ形状の内部に前記係合部材と前記弾性部材を配置することを特徴としている。
また、本発明の他の特徴とするところは、前記カメラグリップの内部に固定配置されたグリップシャーシと、前記グリップシャーシに固定配置された円柱部材、と前記係合部材に固定配置され前記グリップシャーシを回転可能に保持する回転体とを備え、前記ロック部材は、前記円柱部材と前記回転体との摺接により直線運動をすることを特徴としている。
また、本発明のその他の特徴とするところは、前記ロック部材は段差部を有し、
前記ロック部材が第２の位置において、前記段差部が前記回転体と摺接しないことを特徴としている。
また、本発明のその他の特徴とするところは、前記係合部材は前記カメラグリップの回転軸を中心に略円弧形状に外周が形成され、前記略円弧形状の外周の一部に略平面部が形成され、前記係合部材の複数の係合形状は前記平面部を除き円周近傍で円周に沿って形成され、前記くびれ形状の外周の一部に略平面部が形成され、前記くびれ形状の略平面部は前記係合部材の略平面部を覆うように配置され、カメラグリップ把持状態において使用者の手の指先と当接する当接面となることを特徴とすることを特徴としている。
また、本発明のその他の特徴とするところは、前記カメラグリップの内部には略立方体のバッテリが配置され、前記バッテリの幅・奥行き・高さのうち１辺は、前記くびれ形状の略平面部と平行に配置され、前記カメラ本体に対して前記カメラグリップの所定の回転角度が、前記くびれ形状の略平面部と前記レンズの光軸が垂直となる状態において、前記バッテリの中心は前記カメラグリップの回転軸よりもレンズ側の位置に配置され、前記バッテリの一辺は前記くびれ形状の略平面部よりもレンズ側の位置に配置されていることを特徴としている。
【発明の効果】
【０００６】
本発明によれば、カメラグリップにバッテリを内蔵する構成をとる際、部品点数が増加することが無くまた、カメラグリップは大型化することが無くまた、カメラグリップのグリップ性能を低下させることのない撮像装置を提供することができる。
【図面の簡単な説明】
【０００７】
【図１ａ】本発明の撮像装置の実施形態の一例であるデジタルビデオカメラを正面側から見た図である。
【図１ｂ】本発明のカメラグリップを背面側から見た斜視図である。
【図２ａ】本発明のデジタルビデオカメラを背面側から見た斜視図である。
【図２ｂ】図２ａに示すデジタルビデオカメラのカメラグリップを回転させた状態を示す斜視図である。
【図２ｃ】図２ｂの状態からバッテリを取り外した状態を示す斜視図である。
【図２ｄ】本発明のカメラグリップの回転機構とロック機構の分解斜視図である。
【図３ａ】図２ａのＡ−Ａ線断面図である。
【図３ｂ】図２ｂのＢ−Ｂ線断面図である。
【図３ｃ】図１ａのＣ−Ｃ線断面図である。
【図４】ユーザがグリップ状態を示す図２ａのＡ−Ａ線断面図である。
【発明を実施するための形態】
【０００８】
＜第１の実施形態＞
図１（ａ）は本発明の撮像装置の実施形態の一例であるデジタルビデオカメラを正面側から見た図である。図１（ｂ）は本発明のカメラグリップを背面側から見た斜視図である。
【０００９】
図１（ａ）に示すように、本実施形態のデジタルビデオカメラ１０１は、カメラ本体１０３の正面側（被写体側側）にレンズ１０２が設けられる。カメラ本体１０３を正面側から見て左側の側部には、撮影時等にユーザが把持するカメラグリップ１０４が設けられている。カメラ本体１０３とカメラグリップ１０４の間には、くびれ形状１０５が形成されている。図１（ｂ）に示すように、くびれ形状１０５はカメラグリップ１０４の回転軸１０６を中心に略円弧形状に外周が形成されている。
【００１０】
図２（ａ）は本発明のデジタルビデオカメラを背面側から見た斜視図、図２（ｂ）は図２（ａ）に示すデジタルビデオカメラのカメラグリップを回転させた状態を示す斜視図である。
【００１１】
図２（ａ）に示すように、カメラグリップ１０４は、カメラ本体１０３を背面側から見て右側の側部に対して直交する回転軸１０６を中心に所定角度ごとに回転可能かつ所定回転角度でロック可能な回転機構１０８とロック機構１０９が内部に構成されている。回転機構１０８とロック機構１０９の詳細については後述する。カメラグリップ１０４には、ロック解除用の操作ノブ１１８が設けられている。操作ノブ１１８の操作については後述するが、操作ノブ１１８を操作することで、カメラグリップ１０４のロックが解除される。これにより、カメラグリップ１０４をカメラ本体１０３に対して図２（ａ）に示す状態から例えば図２（ｂ）に示す状態に回転させることができる。
【００１２】
図２（ｃ）は図２（ｂ）の状態からバッテリを取り外した状態を示す斜視図である。図２（ｃ）に示すように、カメラグリップ１０４には、バッテリ１１９が内部に配置されており、着脱可能に構成されている。
【００１３】
図３（ａ）は図２（ａ）のＡ−Ａ線断面図である。図３（ｂ）は図２（ｂ）のＢ−Ｂ線断面図である。図３（ｃ）は図１（ａ）のＣ−Ｃ線断面図である。図２（ｄ）の本発明のカメラグリップの回転機構とロック機構の分解斜視図である。図４はユーザがグリップ状態を示す図２（ａ）のＡ−Ａ線断面図にである。
回転機構１０８について説明する。
【００１４】
図３（ａ）、図２（ｄ）に示すように、回転機構１０８には、くびれ形状１０５の内部に配置されてカメラ本体１０３に固定された略円弧形状の係合部材１０７が設けられている。係合部材１０７には、略円弧形状の回転体１１２が固定配置されている。係合部材１０７と回転体１１２の間には、略円弧形状のバネ部材１１３とグリップシャーシ１１４が配置されている。バネ部材１１３は、くびれ形状１０５の内部に配置されている。
【００１５】
グリップシャーシ１１４は、カメラグリップ１０４に固定配置されており、カメラ本体１０３に対してカメラグリップ１０４と共に回転する。バネ部材１１３は、グリップシャーシ１１４を回転体１１２の方向に付勢することにより、カメラグリップ１０４がカメラ本体１０３に対して一定の摺動荷重で回転可能に固定されている。
ロック機構１０９について説明する。
【００１６】
図３（ｃ）に示すように、ロック機構１０９の一部を構成する係合部材１０７には、カメラグリップ１０４の回転軸１０６を中心に略円弧形状に外周が形成されている。略円弧形状の外周の一部には略平面部１０７ａが形成されている。また、係合部材１０７には、複数の係合形状１０７ｂが形成されている。複数の係合形状１０７ｂは、係合部材１０７の略平面部１０７ａを除き円周近傍で円周に沿って形成されている。くびれ形状１０５の外周の一部には、略平面部１０５ａが形成され、係合部材１０７の略平面部１０７ａを覆うように配置され、図４に示す把持状態において使用者の手の指先１１６ａと当接する当接面となっている。
【００１７】
図３（ａ）に示すように、ロック部材１１５には、ロック部材１１５を係合形状１０７ｂに係合する方向に付勢するバネ部材１１７が設けられている。ロック部材１１５は、係合形状１０７ｂから離間してカメラグリップ１０４の回転のロックを解除する第２の位置（図３（ｂ））と、バネ部材１１７の付勢力により係合形状１０７ｂに係合してカメラグリップ１０４の回転をロックする第１の位置（図３（ａ））との間で移動可能に設けられている。
【００１８】
ロック部材１１５の第１の位置は、カメラグリップ１０４とくびれ形状１０５の内部に跨り、ロック部材１１５の第２の位置は、くびれ形状１０５の内部から退避したカメラグリップ１０４の内部である。また、この移動するロック部材１１５は、摺動部１１０に摺接して直線運動をする。実施形態の一例では、摺動部１１０は、カメラグリップ１０４の回転軸１０６と平行方向でグリップシャーシ１１４に固定配置された円柱部材１１１と、前述した回転体１１２である。この摺動部１１０を、図３（ａ）と図３（ｂ）の破線丸部として示す。
【００１９】
また、円柱部材１１１と略平面部１０５ａは、カメラグリップ１０４の回転軸１０６を中心にして略対称の位置に配置されている。図３（ｂ）に示すように、ロック部材１１５には、段差部１１５ａが形成されている。ロック部材１１５が第２の位置では、段差部１１５ａによってロック部材１１５は回転体１１２より離間しているため摺接しない。このため、カメラグリップ１０４を回動操作中は、回動荷重に影響を与えない。
【００２０】
また、図２（ｃ）、図４に示すように、カメラグリップ１０４には略立方体のバッテリ１１９が配置され、バッテリ１１９の幅・奥行き・高さのうち一辺１１９ａは、くびれ形状１０５の略平面部１０５ａと平行に配置され、カメラ本体１０３に対してカメラグリップ１０４の所定の回転角度が、くびれ形状１０５の略平面部１０５ａとレンズ１０２の光軸１０２ａが垂直となる状態において、バッテリ１１９の中心１１９ｂはカメラグリップ１０４の回転軸１０６よりもレンズ１０２側の位置に配置され、バッテリ１１９の一辺１１９ａはくびれ形状１０５の略平面部１０５ａよりもレンズ１０２側の位置に配置されている。
【００２１】
操作ノブ１１８は、ロック部材１１５と一体に固定されている。ユーザは、操作ノブ１１８を図４に示す第１の位置のロック位置から第２の位置のロック解除位置に、手の親指１１６ｂでスライド移動させることで、ロック部材１１５が係合形状１０７ｂから係合解除される。これにより、カメラ本体１０３に対してカメラグリップ１０４が相対的に回転可能になり、ユーザがカメラグリップ１０４を回転させることができる。また、ユーザは、第２の位置のロック解除位置の操作ノブ１１８から手の親指１１６ｂを離すことで、バネ部材１１７の付勢力によりロック部材１１５が係合形状１０７ｂに係合される。これにより、カメラ本体１０３に対してカメラグリップ１０４がロックされた状態になる。
【００２２】
以上説明したように、係合部材１０７とバネ部材１１３は、くびれ形状１０５の内部に配置されている。このように回転機構１０８とロック機構１０９の一部をカメラグリップ１０４の外部に設けることによってカメラグリップ１０４の薄型化が可能であり、カメラグリップ１０４の内部にバッテリ１１９を内蔵する構成をとる際、カメラグリップが大型化してしまう問題がない。
【００２３】
また、摺動部１１０は、円柱部材１１１と回転体１１２である。このようにメインの摺動部に材料コストのかからない円柱部材を使用して、回転止めの摺動部に既存部品を使用することによって専用の部品が不要となるため小型化が可能となる。
【００２４】
また、略平面部１０５ａが形成され、図４に示す把持状態において使用者の手の指先１１６ａと当接する当接面となっており、バッテリ１１９の中心１１９ｂはカメラグリップ１０４の回転軸１０６よりもレンズ１０２側の位置に配置され、バッテリ１１９の一辺１１９ａはくびれ形状１０５の略平面部１０５ａよりもレンズ１０２側の位置に配置されている。このようにすることで、バッテリ１１９が手の平の曲面にフィットしたカメラグリップとなる。
【符号の説明】
【００２５】
１０１  ・・・・  デジタルビデオカメラ
１０２  ・・・・  レンズ
１０２ａ  ・・・・  光軸
１０３  ・・・・  カメラ本体
１０４  ・・・・  カメラグリップ
１０５  ・・・・  くびれ形状
１０５ａ  ・・・・  略平面部
１０６  ・・・・  回転軸
１０７  ・・・・  係合部材
１０７ａ  ・・・・  略平面部
１０７ｂ  ・・・・  係合形状
１０８  ・・・・  回転機構
１０９  ・・・・  ロック機構
１１０  ・・・・  摺動部
１１１  ・・・・  円柱部材
１１２  ・・・・  回転体
１１３  ・・・・  バネ部材
１１４  ・・・・  グリップシャーシ
１１５  ・・・・  ロック部材
１１５ａ  ・・・・  段差部
１１６ａ  ・・・・  手の指先
１１６ｂ  ・・・・  手の親指
１１７  ・・・・  バネ部材
１１８  ・・・・  操作ノブ
１１９  ・・・・  バッテリ
１１９ａ  ・・・・  一辺
１１９ｂ  ・・・・  中心
【図１ａ】
2019168567.tif 000003
【図１ｂ】
2019168567.tif 000004
【図２ａ】
2019168567.tif 000005
【図２ｂ】
2019168567.tif 000006
【図２ｃ】
2019168567.tif 000007
【図２ｄ】
2019168567.tif 000008
【図３ａ】
2019168567.tif 000009
【図３ｂ】
2019168567.tif 000010
【図３ｃ】
2019168567.tif 000011
【図４】
2019168567.tif 000012